(57)【特許請求の範囲】
【請求項１】
車体開口部（１）にクオータガラス（Ｇ）を取り付ける際に、該クオータガラス（Ｇ）を前記車体開口部（１）に位置決めするためのクオータガラス取付用治具であって、
車体開口部（１）の下縁（５）に上方から嵌合する治具本体（１１）と、
治具本体（１１）に設けられてクオータガラス（Ｇ）を吸着する吸着手段（１９）と、
治具本体（１１）に形成されて吸着手段（１９）に吸着されたクオータガラス（Ｇ）の下部を支持する位置決め支持面（１１3 ，１１4 ）と、
を備えたことを特徴とするクオータガラス取付用治具。
【請求項２】
前記治具本体（１１）を弾性材料で形成したことを特徴とする、請求項１記載のクオータガラス取付用治具。
【発明の詳細な説明】
【０００１】
【発明の属する技術分野】
本発明は、車体開口部にクオータガラスを取り付ける際に、該クオータガラスを前記車体開口部に位置決めするためのクオータガラス取付用治具に関する。
【０００２】
【従来の技術】
自動車の車体後部に設けられるクオータガラスには、開閉不能な固定式のものと、開閉可能なポップアップ式のものとがある。ポップアップ式のクオータガラスは、前縁側がヒンジで車体に枢支され、後縁側がロック装置で車体に対して接近／離反するようになっており、クオータガラスはヒンジとロック装置とによって車体開口部に支持されている。
【０００３】
従来、クオータガラスをヒンジ及びロック装置を介して車体開口部に装着するとき、作業者がクオータガラスを手で支持しながらボルトの締め付け作業を行っていた。
【０００４】
【発明が解決しようとする課題】
しかしながら、かなりの重量があるクオータガラスを手で支持しながらボルトの締め付け作業を行うことは困難であり、作業者に大きな労力を強いるだけでなく、クオータガラスが車体開口部に対して位置ずれした状態で装着されてしまう可能性があった。
【０００５】
本発明は前述の事情に鑑みてなされたもので、ポップアップ式のクオータガラスを車体開口部に容易且つ正確に装着するためのクオータガラス取付用治具を提供することを目的とする。
【０００６】
【課題を解決するための手段】
請求項１に記載された発明では、治具本体の位置決め支持面にクオータガラスの下部が当接するように吸着手段をクオータガラスに吸着させることにより、治具本体をクオータガラスに固定する。続いて治具本体を車体開口部の下縁に上方から嵌合させると、この治具本体に前記位置決め支持面を介して支持したクオータガラスが車体開口部に対して正しく位置決めされ、しかもクオータガラスの重量の一部が車体開口部に支持されるため、車体開口部にクオータガラスを容易且つ正確に取り付けることができる。
【０００７】
請求項２に記載された発明では、治具本体が弾性材料で形成されているので、その治具本体を車体開口部に嵌合させる際に車体を傷付けることがない。
【０００８】
【発明の実施の形態】
以下、本発明の実施の形態を、添付図面に示した本発明の実施例に基づいて説明する。
【０００９】
図１〜図６は本発明の一実施例を示すもので、図１は車両の右側面図、図２は図１の２部拡大図、図３は図２の３−３線拡大断面図、図４は図３の４方向矢視図、図５は図２の５−５線拡大断面図、図６は図５に対応する作用説明図である。
【００１０】
図１に示すように、リクリエーショナルビークルＶの車体右側面後部にポップアップ式のクオータガラスＧが装着される。車体左側面後部にも前記クオータガラスＧと左右対称なクオータガラスＧが設けられているが、両クオータガラスＧの構造は実質的に同一であるため、以下車体右側のクオータガラスＧについて説明を行う。
【００１１】
図２に示すように、クオータガラスＧは概略矩形状に形成されており、そのクオータガラスＧが装着される車体開口部１は、前縁２、後縁３、上縁４及び下縁５を備えて概略矩形状に形成される。車体開口部１に装着されるクオータガラスＧには、その前縁部に予め上下一対のヒンジ６，６が固定されており、またその後縁部に予めロック装置７が固定されている。クオータガラスＧの装着は、２本のボルト８，８でヒンジ６，６を車体開口部１の前縁２に螺着するとともに、２本のボルト９，９でロック装置７を車体開口部１の後縁３に螺着することにより行われる。上記作業は、クオータガラス取付用治具Ｊを使用してクオータガラスを車体開口部１に位置決めした状態で行われる。
【００１２】
次に、図２〜図４を参照しながらクオータガラス取付用治具Ｊの構造を説明する。
【００１３】
クオータガラス取付用治具Ｊは、例えば軟質ナイロン等の弾性材で形成した治具本体１１を備える。治具本体１１が装着される車体開口部１の下縁５は、上端において一体に結合されたアウターパネル１２及びインナーパネル１３と、両パネル１２，１３の結合部に装着されてクオータガラスＧの内面に当接するウエザーストリップ１４と、インナーパネル１３の内面を覆うガーニッシュ１５とを備える。治具本体１１の下面には、ガーニッシュ１５及びウエザーストリップ１４に上方から嵌合する逆Ｕ字状の溝部１１1 と、アウターパネル１２の角部に当接する当接面１１2 とが形成されており、これら溝部１１1 及び当接面１１2 によって治具本体１１は車体開口部１の下縁５に安定した一定姿勢で係止される。
【００１４】
治具本体１１の上部にはボルト１６が２個のナット１７，１８により固定されており、このボルト１６の先端にクオータガラスＧの内表面に吸着可能な吸着手段としてのバキュームパッド１９が設けられる。また治具本端１１の外側下部には、クオータガラスＧの下縁を下側から支持する第１位置決め支持面１１3 と、クオータガラスＧの下部内表面を内側支持する第２位置決め支持面１１4 とが形成される。
【００１５】
次に、図５に基づいてロック装置７の構造を説明する。
【００１６】
ロック装置７は、クオータガラスＧの後部に予めリベット２０で固定された第１アーム２１と、前記２本のボルト９，９で車体開口部１の後縁３に固定される第２アーム２２と、第１アーム２１にピン２３で一端を枢支されたレバー２４と、一端がレバー２４の中間部にピン２５で枢支されるとともに他端が第２アーム２２にピン２６で枢支されたリンク２７とから構成される。車体開口部１の後縁３は、前端において一体に結合されたアウターパネル２８及びインナーパネル２９と、両パネル２８，２９の結合部に装着されてクオータガラスＧの内表面に当接するウエザーストリップ３０と、インナーパネル２９の内面を覆うガーニッシュ３１とを備える。前記２本のボルト９，９は、ガーニッシュ３１に形成した開口３１1 を通してインナーパネル２９に螺着される。
【００１７】
次に、前述の構成を備えた本発明の実施例の作用について説明する。
【００１８】
先ず、前縁部に一対のヒンジ６，６を装着し、後縁部にロック装置７を装着したクオータガラスＧを予め準備しておき、このクオータガラスＧの後下部内表面の所定位置にクオータガラス取付用治具Ｊのバキュームパッド１９を吸着させる。このとき、図３に示すようにクオータガラスＧの下縁を治具本体１１の第１位置決め面１１3 に当接させるとともに、内表面を治具本体１１の第２位置決め面１１4 に当接させておく。
【００１９】
続いて、作業者がクオータガラス取付用治具Ｊを装着したクオータガラスＧを持ち上げて治具本体１１を車体開口部１の下縁５に上方から嵌合させると、クオータガラスＧの後部がクオータガラス取付用治具Ｊを介して車体開口部１に支持される。これにより、クオータガラスＧが車体開口部１に対して位置決めされるとともに、クオータガラスＧの後部の重量が車体開口部１に支持されるため、作業者はクオータガラスＧの前部を軽く支持するだけで良くなって負担が軽減される。また治具本体１１を弾性材で形成したので、それが当接する車体開口部１を傷付けることがない。
【００２０】
この状態で、作業者は車体外側から２本のボルト８，８で一対のヒンジ６，６を車体開口部１の前縁２に締結し、更に車体内側から２本のボルト９，９でロック装置７を車体開口部１の後縁３に締結することにより、クオータガラスＧの装着を完了する。このように、クオータガラス取付用治具Ｊを用いてクオータガラスＧを位置決めした状態で車体開口部１に装着するので、その装着位置の精度を容易に確保することができる。
【００２１】
クオータガラスＧの装着が完了した図３の状態からクオータガラス取付用治具Ｊを取り外すべく、先ずバキュームカップ１９を手で摘んで吸着を解除する。次にロック装置７を操作してクオータガラスＧを図３の鎖線位置、つまり図５に示す開位置に移動させると、クオータガラスＧと干渉することなく車体開口部１の下縁５からクオータガラス取付用治具Ｊを取り外すことができる。
【００２２】
装着が完了したクオータガラスＧは、図５に示す開位置と図６に示す閉位置との間を開閉可能であり、且つ前記閉位置においてロック装置７によりロック可能である。
【００２３】
以上、本発明の実施例を詳述したが、本発明は前記実施例に限定されるものでなく、種々の設計変更を行うことが可能である。
【００２４】
例えば、治具本体１１の材質は実施例のナイロンに限定されず、他の任意の材質の弾性部材を採用することができる。また治具本体１１の全体を弾性部材で形成する代わりに、少なくとも車体開口部１の下縁５に当接する部分だけを弾性部材で形成しても良い。尚、クオータガラスＧの形状は矩形に限定されず、種々の形状のものを含むものとする。
【００２５】
【発明の効果】
以上のように、請求項１に記載された発明によれば、車体開口部の下縁に上方から嵌合する治具本体と、治具本体に設けられてクオータガラスを吸着する吸着手段と、治具本体に形成されて吸着手段に吸着されたクオータガラスの下部を支持する位置決め支持面とを備えているので、吸着手段にクオータガラスを吸着した治具本体を車体開口部に装着することにより、治具本体の位置決め支持面に支持したクオータガラスを車体開口部に対して正しく位置決めするとともに、該クオータガラスの重量の一部を車体開口部に支持させ、車体開口部にクオータガラスを容易且つ正確且に取り付けることができる。
【００２６】
また請求項２に記載された発明によれば、治具本体を弾性材料で形成したので、その治具本体を車体開口部に嵌合させる際に車体を傷付けることがない。
【図面の簡単な説明】
【図１】車両の右側面図
【図２】図１の２部拡大図
【図３】図２の３−３線拡大断面図
【図４】図３の４方向矢視図
【図５】図２の５−５線拡大断面図
【図６】図５に対応する作用説明図
【符号の説明】
Ｇ          クオータガラス
１          車体開口部
５          下縁
１１        治具本体
１１3       第１位置決め支持面（位置決め支持面）
１１4       第２位置決め支持面（位置決め支持面）
１９        バキュームパッド（吸着手段）
【図１】
0003645972.tif 000002
【図２】
0003645972.tif 000003
【図３】
0003645972.tif 000004
【図４】
0003645972.tif 000005
【図５】
0003645972.tif 000006
【図６】
0003645972.tif 000007